(57)【要約】【課題】    自身が投影する画像の画像データを携帯端末からの要求に応じて当該携帯端末に送信できる画像表示装置を提供すること。  【解決手段】画像表示装置１では、携帯端末２からの要求情報を受信装置１１で受信し、その要求に応じた画像データをデータ作成装置１３で作成し、その画像データを送信装置１４を介して携帯端末２に出力する。従って、プレゼンテーションの視聴者は、画像全体が見え難い場合や、投射画像のドキュメント資料が準備されていない場合等には、現在投射されている画像やプレゼンテーションに使用される画像データを携帯端末２を用いて容易に取得でき、自身の表示装置２４に表示させることができる。また、携帯端末２で投射画像の見え難い部分を撮像し、この画像データを画像表示装置１に送り、画像表示装置１では、この画像データとマッチングした元の画像データを携帯端末２に送信し、精細な画像として表示させる。【選択図】  図２
2006235159.tif 000002
【特許請求の範囲】
【請求項１】
無線通信可能に設けられているとともに、
携帯端末からの要求情報を無線にて受信する受信装置と、
この要求情報に応じた画像データを作成するデータ作成装置と、
作成した画像データを前記携帯端末に無線にて送信する送信装置とを備えている
ことを特徴とする画像表示装置。
【請求項２】
請求項１に記載の画像表示装置において、
前記携帯端末からの画像データと投射される画像の画像データとを比較する画像比較手段と、
前記携帯端末からの画像データと一致する部分を前記投射される画像の画像データから切り出すデータ切出手段とを備えている
ことを特徴とする画像表示装置。
【請求項３】
請求項２に記載の画像表示装置において、
自身が有するデータが画像データであるかを判定するデータ形式判定手段と、
画像データではないと判定されたデータを画像データに変換する画像データ変換手段とを備えている
ことを特徴とする画像表示装置。
【請求項４】
請求項１ないし請求項３のいずれかに記載の画像表示装置において、
前記携帯端末に送信する画像データの開示適性を判定する開示適性判定手段を備えている
ことを特徴とする画像表示装置。
【請求項５】
無線通信可能に設けられた画像表示装置を動作させるためのプログラムであって、
前記画像表示装置に搭載されたコンピュータに、携帯端末からの要求情報を無線にて受信する受信機能と、
この要求情報に応じた画像データを作成するデータ作成機能と、
作成した画像データを前記携帯端末に無線にて送信する送信機能とを実現させる
ことを特徴とするプログラム。
【発明の詳細な説明】
【技術分野】
【０００１】
本発明は、画像表示装置およびこれを動作させるためのプログラムに関する。
【背景技術】
【０００２】
従来、プレゼンテーションの会場等では、プロジェクタのような投射型の表示装置を用い、画像をスクリーンに拡大投射することが行われている。また、プレゼンテーションの模様を、遠隔地で視聴するための情報配信システムの提案もされている（例えば特許文献１、特許文献２）。
この情報配信システムは、プレゼンテーションの模様をビデオカメラ等で撮像するとともに、その画像データを専用のサーバに格納しておき、このサーバからネットワーク上のクライアント端末に配信するものであり、実際に会場に出向かなくとも、プレゼンテーションの模様を遠隔地で視聴できるのである。
【０００３】
【特許文献１】特開2003-299059号公報
【特許文献２】特開2003-295801号公報
【発明の開示】
【発明が解決しようとする課題】
【０００４】
しかし、従来の情報配信システムでは、画像データを格納して配信可能な専用のサーバが必要になるなど、システム全体が大掛かりであった。また、プレゼンテーションに実際に出席した視聴者の中には、席がスクリーンから離れているために投射画像が見え難い場合等があり、視聴者毎にクライアント端末が必要な従来の情報配信システムでは、このような状況に対応することは困難である。
そこで、携帯電話やＰＤＡ(Personal Digital Assistant)等の携帯端末が普及している昨今の状況を鑑み、会場の視聴者が有する携帯端末に投射画像と同じ画像を表示させることで、前記問題の解決を図ることが望まれている。
【０００５】
本発明の目的は、自身が投影する画像の画像データを携帯端末からの要求に応じて当該携帯端末に送信できる画像表示装置、およびこれを動作させるためのプログラムを提供することにある。
【課題を解決するための手段】
【０００６】
本発明の画像表示装置は、無線通信可能に設けられているとともに、携帯端末からの要求情報を無線にて受信する受信装置と、この要求情報に応じた画像データを作成するデータ作成装置と、作成した画像データを前記携帯端末に無線にて送信する送信装置とを備えていることを特徴とする。
このような本発明によれば、携帯端末からの要求情報を受信装置で受信し、その要求に応じた画像データをデータ作成装置で作成し、その画像データを送信装置を介して携帯端末に出力するので、プレゼンテーション等の視聴者は、画像が見え難いと感じた場合や、予めドキュメント資料として用意されていない場合には、現在投射されている画像やプレゼンテーションに使用される画像データを携帯端末を用いて容易に取得でき、携帯端末上で精細な画像として表示させることができる。従って、本発明の画像表示装置によれば、自身が投影する画像の画像データを携帯端末からの要求に応じて当該携帯端末に送信できるという効果がある。
【０００７】
本発明の画像表示装置では、前記携帯端末からの画像データと投射される画像の画像データとを比較する画像比較手段と、前記携帯端末からの画像データと一致する部分を前記投射される画像の画像データから切り出すデータ切出手段とを備えていることを特徴とする。
このような本発明によれば、視聴者が投射画面の一部が見え難いと感じた場合には、その部分を携帯端末の撮像機能を利用して撮像し、この画像データを画像表示装置に送信すれば、画像表示装置では、携帯端末からの画像データと一致した部分を元の画像データから切り出し、切り出した画像データを携帯端末に送り返すことができる。従って、この画像データを受信した携帯端末では、見え難かった部分のより詳細な画像を表示させることができ、視聴者の満足度を高めることができる。
なお、データ切出し手段が切り出す「携帯端末からの画像データと一致した部分」には、携帯端末からの画像データと一致した部分を含んでいればよく、携帯端末からの画像データと一致した部分のみでなくてもよい。
【０００８】
本発明の画像表示装置では、自身が有するデータが画像データであるかを判定するデータ形式判定手段と、画像データではないと判定されたデータを画像データに変換する画像データ変換手段とを備えていることを特徴とする。
携帯端末からの画像データと画像表示装置側のデータとを比較するのであるが、この際、データ形式判定手段１２３および画像データ変換手段１２４を備えていることにより、画像表示装置側のデータが画像データではない場合には、そのデータを画像データに変換して携帯端末からの画像データと比較でき、画像データ同士を比較することで処理効率を向上させることができる。
【０００９】
本発明の画像表示装置では、前記携帯端末に送信する画像データの開示適性を判定する開示適性判定手段を備えていることを特徴とする。
このような本発明によれば、携帯端末に送信できない画像データを開示適性判定手段にて判定し、確実に止めておくことができるため、機密上あるいは著作権上といった厄介な問題を引き起こすのを防止できる。
【００１０】
本発明のプログラムは、無線通信可能に設けられた画像表示装置を動作させるためのプログラムであって、前記画像表示装置に搭載されたコンピュータに、携帯端末からの要求情報を無線にて受信する受信機能と、この要求情報に応じた画像データを作成するデータ作成機能と、作成した画像データを前記携帯端末に無線にて送信する送信機能とを実現させることを特徴とする。
このような本発明のプログラムを実行することにより、前述した画像表示装置を確実に動作させることができ、本発明のがぞう表示装置での作用効果を得ることができる。
【発明を実施するための最良の形態】
【００１１】
以下、本発明の各実施形態を図面に基づいて説明する。なお、後述する第２、第３実施形態において、次説する第１実施形態と同じ構成については同一符号を用い、それらの説明を省略または簡略化する。
【００１２】
〔第１実施形態〕
図１は、本実施形態の画像表示装置１を用いてプレゼンテーション用の画像を投射している様子を示す図である。図２は、画像表示装置１およびこれにアクセス可能な携帯端末２の概略構成を示すブロック図、図３および図４は、画像表示装置１の詳細を示すブロック図である。
【００１３】
図１において、画像表示装置１は、無線通信可能な投射型のプロジェクタで構成されており、プレゼンテーションの視聴者が有する携帯端末２との間で画像データ等の送受信が可能である。従って、例えば投射画像の一部が見え難い場合、視聴者は自身の携帯端末２の撮像機能を用いてその見え難い部分を撮像し、その画像データを画像表示装置１に送信すれば、画像表示装置１はその見え難い部分の画像データを元の画像データから切り出して携帯端末２に送信し、携帯端末２側で精細な画像として見せることができる。また、画像表示装置１は、携帯端末２からの要求により、投射している画像の全体、あるいはプレゼンテーションに用いられる全画像を携帯端末２に送信することが可能である。
【００１４】
このような画像表示装置１は、図２に示すように、携帯端末２からの種々のデータを受信する受信装置１１と、受信したデータが画像データの場合にその画像データを解析する画像解析装置１２と、画像データの解析結果あるいは携帯端末２からの要求に応じて携帯端末２に送信するための画像データを作成するデータ作成装置１３と、作成した画像データを携帯端末２へ送信する送信装置１４と、投射中の画像データを一時的に記憶しておくフレームバッファ１５とを備え、プレゼンテーションに用いられる画像データを記憶媒体１６から呼び出してフレームバッファ１５にストアし、表示することが可能である。
【００１５】
これらの構成のうち、画像解析装置１２およびデータ作成装置１３については、後段にて詳説する。また、記憶媒体１６としては、画像表示装置１に装着されたメモリーカードやＵＳＢ(Universal Serial Bus)メモリ等の他、画像表示装置とは別体の外部装置で駆動されるＣＤ−ＲＯＭ(Compact Disc - Read Only Memory)やＦＤ(Flexible Disc)等を適用できる。さらに各装置１１〜１４は、種々のハードウェアで構成されているとともに、画像表示装置１に搭載されたコンピュータで所定のプログラムを実行させることにより、自身の機能を実現可能である。
【００１６】
一方の携帯端末２は、例えばカメラ付きの携帯電話等で構成されており、そのようなカメラからなる撮像装置２１と、撮像装置２１で撮像した画像データや視聴者の要求情報を送信する送信装置２２と、画像表示装置１から送信された画像データを受信する受信装置２３と、受信した画像データに基づく画像を表示させる表示装置２４とを備え、内部に組み込まれたマイクロコンピュータを画像送信要求生成手段２５として機能させることが可能である。この画像送信要求生成手段２５は、画像送信を要求するための種々の選択画面等を表示装置２４に表示させたり、選択された要求情報を送信装置２２を介して画像表示装置１に送信したりする機能を有する。
【００１７】
このような携帯端末２の画像表示装置１への接続手段は、特に限定されないが、本実施形態では、ＩＰ(Internet Protocol)ベースのネットワークを使用している。また、その他の接続手段としては、ＩｒＤＡ(Infrared Data Association)、Ｂｌｕｅｔｏｏｔｈ、携帯電話専用回線等を適用できる。
【００１８】
以下には、図３，図４に基づいて、画像表示装置１の画像解析装置１２およびデータ作成装置１３について詳説する。
【００１９】
画像解析装置１２は、図３に示すように、搭載されたコンピュータを画像比較手段１２１および一致領域判定手段１２２として機能されるプログラムを実行可能に設けられている。
【００２０】
画像比較手段１２１は、携帯端末２が撮像した画像の画像データと画像表示装置１にて現在投射している画像の画像データとを比較したり、携帯端末２からの画像データと投射中以外のデータとを比較したりする。現在投射している画像の画像データと比較する場合、もしくは既に投射済の画像の画像データと比較する場合には、フレームバッファ１５にストアされている画像データと比較し、それ以外のデータと比較する場合には、記憶媒体１６内のデータと比較する。
【００２１】
一致領域判定手段１２２は、画像比較手段１２１での比較の結果、携帯端末２からの画像データが画像表示装置１側の画像データの一部として一致しているか否かを判定する機能を有している。
【００２２】
データ作成装置１３は、図４に示すように、搭載されたコンピュータを開示適性判定手段１３１、データ切出手段１３２、データ形式変換手段１３３、およびエラー情報作成手段１３４として機能させるプログラムを実行可能に設けられている。
【００２３】
開示適性判定手段１３１は、携帯端末２からの画像データが画像表示装置１側の画像データの一部と一致する場合に、その一致した画像表示装置１の画像データが携帯端末２に送信可能であるか否かを判定する。すなわち、画像表示装置１の画像データとしては、機密上または著作権上の観点から、自由に送信してもよい画像データと、送信できない画像データとが存在する。このように、画像データには開示適性が予め設定されており、開示適性上送信できない場合には、携帯端末２から要求されても画像データの送信が見送られることになる。
【００２４】
データ切出手段１３２は、携帯端末２からの画像データが画像表示装置１側の画像データの一部と一致する場合で、かつ開示適性上、携帯端末２への送信が問題にならない場合に、その一致する領域の画像データを画像データ全体から切り出す機能を有する。
【００２５】
データ形式変換手段１３３は、切り出した画像データを携帯端末２（視聴者）側が要求するデータ形式に変換する機能を有している。携帯端末２が要求するデータ形式には、例えばＨＴＭＬ(Hypertext Markup Language)形式、画像形式、オリジナルのデータ形式等がある。
【００２６】
エラー情報作成手段１３４は、携帯端末２からの画像データと画像表示装置１が所有する画像データとが位置しない場合や、一致した場合でもその画像データが開示適性上、携帯端末２に送信できないと判定された場合に、その旨のエラーメッセージを生成し、送信装置１４を介して携帯端末２に送信する機能を有している。
【００２７】
次に、図５ないし図１１に基づき、画像表示装置１および携帯端末２での動作について説明する。図５ないし図９は、携帯端末２の表示装置２４に表示される画面を示す図であり、図１０は、画像表示装置１での動作を示すフローチャートである。
【００２８】
先ず、プレゼンテーション会場にいる視聴者は、スクリーン上に投射された画像の一部（例えば図１に示す太点線部分）が見え難いと感じた場合に、携帯端末２の撮像装置２１でその部分を撮像し、画像データを保存しておく。この際には、撮像装置２１のズーム機能等を用い、できる限り当該部分を拡大して撮像することが望ましい。
【００２９】
次いで、この部分のより精細な画像を入手したい場合には、携帯端末２を用いて画像表示装置１にアクセスすることになる。つまり、視聴者は携帯端末２を操作して図５に示す接続開始画面３１を表示させ、アクセス先である画像表示装置１のＩＰアドレスをテキストボックス３１１中に入力し、ＯＫボタン３１２を操作する。なお、ＩＰアドレスは、投射画像の片隅等に常時表示する等しておけばよい。
【００３０】
この後、携帯端末２では、図６に示すコンテンツの選択画面３２が表示されるようになっており、視聴者は、要求する画像（コンテンツ）の範囲をラジオボタン３２１から選択する。ここでは、「カメラで指定」を選択したものとする。そして、次へのボタン３２２を操作する。なお、このような選択画面３２としては、図示する選択形式の他、要求する画像の頁番号等を入力する形式であってもよい。
【００３１】
そして、コンテンツの選択画面３２で「カメラで指定」が選択された場合、図７に示す撮影画像の選択画面３３が表示される。視聴者は携帯端末２内に保存されている画像の一覧から、予め撮像しておいた撮影画像を選択し、次へのボタン３３１を操作する。
【００３２】
さらに、携帯端末２では、図８に示すデータ形式の選択画面３４が表示される。視聴者は、画像表示装置１から取得する画像データの形式をラジオボタン３４１から選択し、次へのボタン３４２を操作する。ここでは、「ＨＴＭＬ形式」が選択されたものとする。
【００３３】
すると、図９に示す取得内容確認画面３５が携帯端末２に表示される。視聴者は、テキストボックス３５１，３５２内の内容を確認し、問題がなければＯＫボタン３５３を操作する。以上の各画面３１〜３５の表示要求等は、画像送信要求生成手段２５によって画像表示装置１に対して行われ、画像表示装置１から配信された画像を携帯端末２側のビューアを用いて表示している。そして、ＯＫボタン３５３の操作の後、送信装置２２は、視聴者の要求情報を画像データと共に画像表示装置１に送信する。
【００３４】
以下、画像表示装置１側の動作を説明する。
ステップ１：図１１において、画像表示装置１側では先ず、携帯端末２から送信された画像データを受信装置１１が受信し、視聴者の要求として「カメラで指定」が選択されたここでは、共に送られてきた撮像画像の画像データを画像解析装置１２に出力する。
【００３５】
ステップ２：画像解析装置１２の画像比較手段１２１は、携帯端末２からの画像データに解像度処理を施した後、この画像データとフレームバッファ１５内にストアされている画像データとを比較する。
ステップ３：一致領域判定手段１２２は、比較の結果、一致する領域が存在するか否かを判定する。
【００３６】
ステップ４：一致する領域が存在する場合に、データ作成装置１３の開示適性判定手段１３１は、一致する領域の画像データが携帯端末２に送信可能な適性を有しているかを判定する。
ステップ５：送信可能な適性を有している場合、データ切出手段１３２は、ストアされている画像データから要求部分のみを切り出す。
ステップ６：この後、データ形式変換手段１３３は、切り取った画像データを要求されたＨＴＭＬ形式に変換し、送信装置１４に出力する。
ステップ７：最後に、送信装置１４は、携帯端末２に画像データを出力する。
【００３７】
このようにして出力された画像データは、携帯端末２の受信装置２３で受信され、図１０に示すように、精細な画像３６として表示装置２４に表示される。
【００３８】
ステップ８：なお、図１１のＳ３において、一致する領域が存在しないと判定された場合、また、Ｓ４において、開示適性により画像データを携帯端末２に送信できないと判定された場合には、エラー情報作成手段１３４がエラー情報を作成し、送信装置１４に出力する。
【００３９】
ところで、視聴者が図６に示すコンテンツの選択画面３２において、「すべて」を選択した場合には、画像表示装置１はプレゼンテーションに用いられる画像データを全て携帯端末２に送信し、「現在のページ」を選択した場合には、現在投射している画像の画像データをそのまま送信する。このような要求がなされる時には、携帯端末２での撮像が行われないため、画像表示装置１の画像データとの比較は不要である。
【００４０】
従って、視聴者の要求は、図２に示すように、画像表示装置１の受信装置１１で判定された後、画像解析装置１２を通らずにデータ作成装置１３に伝達される。これを受けたデータ作成装置１３は、フレームバッファ１５または記憶媒体１６から画像データを取得し、開示適性が判定された後、データ切出手段１３２を介さずに携帯端末２に出力する。
【００４１】
本実施形態によれば、以下の効果がある。
（１）すなわち、画像表示装置１では、携帯端末２からの要求情報を受信装置１１で受信し、その要求に応じた画像データをデータ作成装置１３で作成し、その画像データを送信装置１４を介して携帯端末２に出力するので、プレゼンテーションの視聴者は、画像全体が見え難い場合や、プレゼンテーション会場に投射画像のドキュメント資料が準備されていない場合等には、現在投射されている画像やプレゼンテーションに使用される画像データを携帯端末２を用いて容易に取得でき、自身の表示装置２４に表示させることができる。
【００４２】
（２）画像表示装置１の画像解析装置１２は、携帯端末２からの画像データと現在投射中の画像の画像データとを比較する画像比較手段１２１を備え、また、データ作成装置１３は、携帯端末２からの画像データと一致する部分を画像表示装置１が所有する画像データから切り出すデータ切出手段１３２を備えているので、視聴者が投射画面の一部が見え難いと感じた場合には、その部分を携帯端末２の撮像装置２１で撮像し、この画像データを画像表示装置１に送信すれば、画像表示装置１では、携帯端末２からの画像データと一致した部分を元の画像データから切り出し、切り出した画像データを携帯端末２に送り返すことができる。従って、この画像データを受信した携帯端末２では、見え難かった部分のより詳細な画像を表示させることができ、視聴者の満足度を高めることができる。
【００４３】
（３）データ作成装置１３には、データの開示適性を判定する開示適性判定手段１３１が設けられているので、携帯端末２に送信できない画像データを確実に止めておくことができ、機密上あるいは著作権上といった厄介な問題を引き起こすのを防止できる。
【００４４】
（４）データ作成装置１３には、携帯端末２に送信する画像データを視聴者の要求に応じた形式に変換するデータ形式変換手段１３３が設けられているので、視聴者は自身の携帯端末２のアプリケーションに応じた形式で画像データを取得でき、使い勝手を良好にできる。
【００４５】
〔第２実施形態〕
図１２には、第２実施形態に係る画像表示装置１の画像解析装置１２のブロック図が、図１３には、本実施形態での動作を示すフローチャートが示されている。
本実施形態では、携帯端末２からの画像データを、投射中の画像データすなわちフレームバッファ１５にストアされている画像データと比較するのではなく、記憶媒体１６に記憶されているデータと比較する点で第１実施形態とは大きく異なる。また、本実施形態では、図１２に示すように、画像解析装置１２がデータ形式判定手段１２３および画像データ変換手段１２４を備えている。
【００４６】
データ形式判定手段１２３は、携帯端末２からの画像データと記憶媒体１６内のデータとを比較するにあたり、記憶媒体１６内のデータが画像データであるか、またはそれ以外のデータであるかを判定する機能を有している。
【００４７】
画像データ変換手段１２４は、記憶媒体１６内のデータが例えばテキストデータのように画像データでない場合には、そのデータを画像データに変換し、画像比較手段１２１に出力する。これにより画像比較手段１２１では、画像データ同士の比較が行われることになり、処理効率が向上する。
【００４８】
つまり、本実施形態では、図１３に示すように、携帯端末２から画像データを受信すると、記憶媒体１６からのデータが画像解析装置１２の画像比較手段１２１に出力されるのであるが（図２での２点鎖線矢印参照）、この際、データ形式判定手段１２３は、出力されたデータが画像データか否かを判定し、画像データであれば、そのまま画像比較手段１２１に出力する（ステップ：Ｓ９）。一方、画像データではないと判定された場合には、画像データ変換手段１２４がそのデータを画像データに変換し、画像比較手段１２１に出力する（ステップ：Ｓ１０）。
【００４９】
なお、フレームバッファ１５内にストアされているデータは基本的に、画像データに変換されているために、携帯端末２からの画像データと比較するにあっては、フレームバッファ１５のデータをデータ形式判定手段１２３で判定したり、画像データ変換手段１２４で変換したりすることはない。従って、前述した第１実施形態では、これらの手段１２３，１２４が不要なのである。
【００５０】
このような本実施形態では、その特有な構成により、以下の効果がある。
（５）すなわち、本実施形態の画像表示装置１では、携帯端末２からの画像データと記憶媒体１６内のデータとを比較するのであるが、この際、画像解析装置１２には、データ形式判定手段１２３および画像データ変換手段１２４が設けられているため、記憶媒体１６のデータが画像データではない場合には、そのデータを画像データに変換して携帯端末２からの画像データと比較でき、画像データ同士を比較することで処理効率を向上させることができる。また、このことは、携帯端末２からの画像データを記憶媒体１６のデータの形式に変換する場合に比べても、処理効率が良好といえる。
【００５１】
〔第３実施形態〕
図１４には、第３実施形態に係る画像表示装置１のブロック図が示されている。
本実施形態では、画像表示装置１にパーソナルコンピュータ（以下ではパソコンと略す）４が接続されており、画像表示装置１およびパソコン４にそれぞれ設けられたデータ送受信装置１７、４１により、相互にデータの送受信が可能である。また、パソコン４にはＨＤＤ(Hard Disk Drive)等の記憶装置４２が設けられており、プレゼンテーションに用いられるデータが記憶されている。
【００５２】
従って、前記第１、２実施形態では、携帯端末２から要求のあった画像データは、フレームバッファ１５や記憶媒体１６から呼び出されたが、本実施形態では、パソコン４の記憶装置４２から呼び出されることになる。
【００５３】
本実施形態によれば、以下の効果がある。
（６）すなわち、本実施形態の画像表示装置１では、パソコン４との間で相互通信可能であるから、プレゼンテーション用のデータを記憶するのに大容量を要する場合には、そのデータをパソコン４の記憶装置４２に記憶させておけばよく、視聴者が要求する画像データをパソコン４から呼び出して出力でき、使い勝手を一層向上させることができる。
【００５４】
なお、本発明は前述の実施形態に限定されるものではなく、本発明の目的を達成できる範囲での変形、改良等は本発明に含まれるものである。
例えば、前記各実施形態では、本発明の画像表示装置として、投射型のプロジェクタを想定して説明したが、比較的大きな画像を表示できる表示装置であればよく、リアプロジェクタや、大画面テレビ等であってもよい。
【００５５】
その他、本発明を実施するための最良の構成などは、以上の記載で開示されているが、本発明は、これに限定されるものではない。すなわち、本発明は、主に特定の実施形態に関して特に図示され、かつ説明されているが、本発明の技術的思想および目的の範囲から逸脱することなく、当業者が様々な変形を加えることができるものである。
【産業上の利用可能性】
【００５６】
本発明は、携帯端末を所持した視聴者が出席するプレゼンテーション等にて、大きな画像を表示するのに利用できる。
【図面の簡単な説明】
【００５７】
【図１】本発明の第１実施形態に係る画像表示装置を用いてプレゼンテーション用の画像を投射している様子を示す図。
【図２】前記画像表示装置およびこれにアクセス可能な携帯端末の概略構成を示すブロック図。
【図３】前記画像表示装置の画像解析装置を示すブロック図。
【図４】前記画像表示装置のデータ作成装置を示すブロック図。
【図５】前記携帯端末に表示される接続開始画面を示す図。
【図６】前記携帯端末に表示されるコンテンツの選択画面を示す図。
【図７】前記携帯端末に表示される撮像画像の選択画面を示す図。
【図８】前記携帯端末に表示されるデータ形式の選択画面を示す図。
【図９】前記携帯端末に表示される取得内容確認画面を示す図。
【図１０】前記画像表示装置からの画像を前記携帯端末に表示させた状態を示す図。
【図１１】前記画像表示装置の動作を示すフローチャート。
【図１２】本発明の第２実施形態に係る画像表示装置の画像解析装置を示すブロック図。
【図１３】第２実施形態での動作を示すフローチャート
【図１４】本発明の第３実施形態に係る画像表示装置、携帯端末、およびパーソナルコンピュータの概略構成を示すブロック図。
【符号の説明】
【００５８】
１…画像表示装置、２…携帯端末、１１…受信装置、１３…データ作成装置、１４…送信装置、１２１…画像比較手段、１２３…データ形式判定手段、１２４…画像データ変換手段、１３２…データ切出手段、１３１…開示適性判定手段。
【図１】
2006235159.tif 000003
【図２】
2006235159.tif 000004
【図３】
2006235159.tif 000005
【図４】
2006235159.tif 000006
【図５】
2006235159.tif 000007
【図６】
2006235159.tif 000008
【図７】
2006235159.tif 000009
【図８】
2006235159.tif 000010
【図９】
2006235159.tif 000011
【図１０】
2006235159.tif 000012
【図１１】
2006235159.tif 000013
【図１２】
2006235159.tif 000014
【図１３】
2006235159.tif 000015
【図１４】
2006235159.tif 000016